(57)【要約】【課題】高齢者など、腰をかがめて靴下を自分で履くことが困難な人が、容易に靴下を履くための補助具を提供する。【解決手段】上部が上側に広がるテーパ形状をした靴下保持部６１を有する靴下保持具６に靴下の上部を折り返して被せ、この靴下保持具６を、装置１の上板２の穴から挿入して、穴の開いた中板３に設置する。上板２の穴の壁面は靴下保持部６１のテーパ形状と平行であり、中板３の高さは調節できるので、靴下保持部６１と上板２の穴の壁面との間隔を調節できる。  これにより靴下の上部を装置１に保持する摩擦力を調節しておいて、足を穴に挿入すると適度なテンションを保持したまま靴下に足をつま先まで完全に入れることができる。  最後に足を踏み抜くと、靴下が足首まで装着できる。【選択図】図２
2010284329.tif 000002
【特許請求の範囲】
【請求項１】
外側面が断面テーパ形状をした筒状の靴下保持部と、
この靴下保持部の端部から、前記靴下保持部の軸方向に伸びる支持部と、
この支持部を介して前記靴下保持部を載置する固定板と、
穴を開けた上板とを備え、
前記穴の内壁面と前記靴下保持部の外側面との間の間隔が可変であることを特徴とする靴下着用補助装置。
【請求項２】
前記穴の内壁面が前記靴下保持部の外側面に平行であることを特徴とする請求項１に記載の靴下着用補助装置。
【請求項３】
筒状の靴下保持部と、
この靴下保持部の上端部から張り出したフランジ部と、前記靴下保持部の軸方向に伸びる支持部と、
この支持部を介して前記靴下保持部を載置する固定板と、
穴を開けた上板であって、この穴の上縁が前記靴下保持部の前記フランジ部の下面と平行に対面する上板を備え、
前記フランジ部と前記穴の前記上縁の間の間隔が可変であること特徴とする靴下着用補助装置。
【請求項４】
前記上板又は前記固定板の少なくとも一方を上下に移動することによって前記間隔を可変とすることを特徴とする請求項１乃至請求項３のいずれか１項に記載の靴下着用補助装置。
【請求項５】
前記支持部を伸縮させることにより前記間隔を可変とすることを特徴とする請求項１乃至請求項４のいずれか１項に記載の靴下着用補助装置。
【請求項６】
前記支持部は前記固定板に脱着可能に固定することを特徴とする請求項１乃至請求項５のいずれか１項に記載の靴下着用補助装置。
【請求項７】
前記靴下保持部の軸方向垂直断面は楕円形であることを特徴とする請求項１乃至請求項６のいずれか１項に記載の靴下着用補助装置。
【発明の詳細な説明】
【技術分野】
【０００１】
この発明は靴下を高齢者等が着用する際に、容易に着用できるよう補助する装置に関するものである。
【背景技術】
【０００２】
高齢者、病気療養中の人、妊婦、障害のある人等、腰をかがめることが困難な者は、周囲の者の介助によって靴下を履かせてもらう場合が多い。
しかし、一人暮らしの高齢者世帯が激増した今日、一人で靴下を履くという作業は、大変な労力を要する日課となっている。
この作業を補助する器具として、靴下の中・上部を補助具の環体部に手繰りよせて装着し、靴下の端部を留め具に止めて固定しておいて、環体部の上部から足を挿入することにより靴下を足に装着する器具が提案されている。（特許文献１）
【先行技術文献】
【特許文献】
【０００３】
【特許文献１】登録実用新案公報  実用新案登録弟３０８２６４６
【発明の概要】
【発明が解決しようとする課題】
【０００４】
従来、補助具では、環体部の上側から環体部に足先を入れた時、環体部に手繰り寄せて装着している靴下が、足の挿入に合わせてスムーズに足先、足の甲、かかと、くるぶしへと順に装着されず、足の一部に皺状にまとまって装着されてしまう問題があった。
これは、靴下の素材、靴下の厚さ等によって環体部と靴下との間に働く摩擦力が大きく異なることが原因となっている。
このような不具合を解決し、靴下を足に沿って装着するため、特許文献１の考案では、環体部の外周部下端に留め具を設けて、靴下の上端を固定できるようにしている。
しかし、留め具で靴下の上部を固定していても、靴下が伸び切る前に靴下が皺状に足に装着されてしまった場合、部分的な固定では靴下が簡単にその状態のまま留め具から外れてしまうという問題があった。
また、留め具の保持力を上げても、一旦皺状に装着された靴下は抵抗が大きく、少々引っ張った程度では足に沿って綺麗に伸ばすことは困難であるという問題があった。
【課題を解決するための手段】
【０００５】
この発明に係る靴下着用補助装置は、
外側面が断面テーパ形状をした筒状の靴下保持部と、
この靴下保持部の端部から、靴下保持部の軸方向に伸びる支持部と、
この支持部を介して靴下保持部を載置する固定板と、
穴を開けた上板とを備え、
穴と靴下保持部との間の間隔が可変であることを特徴とするものである。
【発明の効果】
【０００６】
この発明に係る靴下着用補助装置は、
外側面が断面テーパ形状をした筒状の靴下保持部と、
この靴下保持部の端部から、靴下保持部の軸方向に伸びる支持部と、
この支持部を介して靴下保持部を載置する固定板と、
穴を開けた上板とを備え、
穴と靴下保持部との間の間隔が可変であることを特徴とするものなので、
靴下の厚さや素材に合わせて靴下を保持する力を調整できるので、靴下の装着途中で靴下が外れる心配がなく、つま先から靴下の上端部まで、確実に靴下を足に着用できる。
【図面の簡単な説明】
【０００７】
【図１】この発明の靴下着用補助装置の実施の形態１における斜視図である。
【図２】この発明の靴下着用補助装置の実施の形態１における側面図である。
【図３】この発明の靴下着用補助装置の実施の形態１における中板の端部拡大図である。
【図４】この発明の靴下着用補助装置の実施の形態１における中板の平面図である。
【図５】この発明の靴下着用補助装置の実施の形態１における靴下保持具の斜視図である。
【図６】この発明の靴下着用補助装置の実施の形態１における留め具の平面図である。
【図７】この発明の靴下着用補助装置の実施の形態１における靴下保持具に靴下を装着した状態を示す側面図である。
【図８】この発明の靴下着用補助装置の実施の形態１における靴下保持具に靴下を装着して筐体にセットした状態を示す側面図である。
【図９】この発明の靴下着用補助装置の実施の形態２における側面図である。
【図１０】この発明の靴下着用補助装置の実施の形態３における筐体の斜視図である。
【図１１】この発明の靴下着用補助装置の実施の形態３における筐体の側面図である。
【発明を実施するための形態】
【０００８】
実施の形態１．
まず、この発明の実施の形態１に係る靴下着用補助装置１（以下装置１という）の構成について説明する。
図１は、装置１の筐体の斜視図である。
足を入れられる程度の大きさの穴を開けた上板２と、上板２より大きな穴を設けた中板３、下板４を、それぞれが平行となるように所定の間隔を開けて側板５で支持固定している。
【０００９】
図２は、装置１の側面図であり、図３は図２に示す中板３の右端部の拡大図である。
中板３の端部には凸部を設けていて、この凸部を側板５に設けた凹部に沿って挿入することにより、中板３を設置する高さを可変とすることができる。
図４は中板３の平面図である。中板３には、図に示すように、長方形の穴の短辺の一端から更に円弧状に切り取った穴３１を設けている。穴３１の円弧状部分の縁には、留め具３２を３箇所設けている。この留め具３２の用途については後述する。
【００１０】
図５は靴下保持具６の斜視図であり、これを中板３の上にセットした図が先に説明した図２である。                                   
靴下保持具６は、筒状で外周面が上側ほど広くなるテーパ形状をしている靴下保持部６１（以下保持部６１という）と、保持部６１の径の小さい側の端部に接続して、保持部６１の軸方向に伸びる、断面円弧状の支持部６２で構成される。
支持部６２の下端部外周側には、先述の留め具３２と噛み合う突起６３が突出している。
【００１１】
図６は図３に示す中板３の上部に突出している留め具３２の平面図である。
各突起６３が留め具３２の側面開口部に対面するように位置を合わせて靴下保持具６を中板３の上に載置し、次に靴下保持具６を図４、矢印方向に回転させることによって突起６３と留め具３２を噛み合わせる。これによって、靴下保持具６の上下方向及び、図２左右方向の動きを制限できる。
【００１２】
図１、２に示すように、上板２の所定の位置には、内径が保持部６１の最大径より小さく、最小径より大きな穴２１を設けている。
また、この穴２１の内壁面は靴下保持具６の保持部６１のテーパ形状をした外側面と概略平行となるように形成してあるので、中板３を設置する高さを変更すると、穴２１の内壁面と保持部６１の外側面との間の間隔を、対向する面全体に渡って変更することができる。この用途については後述する。
【００１３】
まず、この装置１を使用する方法について、全体の流れを先に説明する。
靴下は靴下保持具６の保持部６１に上端を折り返して装着する。そしてこれを筐体の所定の位置に設置する。
そして、足を靴下の中に挿入するのであるが、靴下は保持部６１と穴２１の間にその上端を環状に挟まれているので、この隙間の広さに応じて、靴下に摩擦力が発生する。
従って、靴下に足を入れても簡単に保持部６１から靴下が外れることはない。
足のつま先が靴下の先端まで到達すると、先ほどの摩擦力より大きな力で靴下を下へ引くことになるので、靴下が保持部６１から外れて、足に装着される。あとは足を穴から引き抜けばよい。
【００１４】
次に、この装置１を使用して足に靴下を着用する仕組みを順に説明する。
まず、これから履こうとする靴下の厚さに合わせて保持部６１の外周面と穴２１との間の間隔を調整する。これは、中板３を設置する高さによって変更できる。靴下の中に足を入れた時に、足のつま先が、靴下の先端に届くまで靴下の上端部が保持部６１から外れない程度の摩擦力を発揮できるように間隔を調整する。間隔を狭くする時は靴下保持具６を取り外してから、中板３を手前に抜き出し、中板３の両端部に設けた凸部を１目盛り上の側板５に設けた凹部に挿入し直せばよい。
【００１５】
靴下保持具６を装置１から取り外し、図７に示すように靴下を、靴下のつま先から保持部６１の内側に挿入し、靴下の上端部を保持部６１の外周面に折り返して被せる。
次に、靴下を被せた靴下保持具６を上板２の穴２１から挿入して、中板３の上に載置し、これを少し回転させて留め具３２に固定する。図８はこの状態を示している。
靴下保持具６を固定することによって、保持部６１と穴２１との間隔を穴の全周に渡って均一にすることができる。以上で靴下のセットが完了する。
【００１６】
次に、足への靴下の装着について説明する。
靴下を足に装着するには、椅子などに座る、或いは、手摺りに掴まって体勢を整えてから片足を穴２１の中に上から入れる。靴下の上端部が摩擦力で固定されているので、足はスムーズに靴下の先まで入る。この時、足の裏はおよそ下板４と中板３の中間まで到達している。更に足を下板４に着くまで踏み抜くと靴下の上端が保持部６１から外れて靴下が完全に足に装着される。
次に足を穴から抜き出せばよい。
以上がこの装置１を利用した靴下の装着方法である。
【００１７】
この発明の装置１によれば、靴下の厚さや素材に合わせて靴下を保持する力を調整できるので、薄手の靴下の装着途中で靴下が外れる心配がなく、つま先から靴下の上端部まで、確実に靴下を足に装着できる。
また、靴下を保持する力は中板３の位置で決まるので、高齢者等でも簡単に、視覚的に調整できる。
また、装置１に取り付けた靴下は、靴下の上端部の全周を均一に保持されるので、靴下の装着途中で外れる失敗が起こらない。
更に、靴下を保持する部分は、ゴムの入った上端部だけなので、靴下のかかと部分や、それより先の部分まで無理に広げて靴下を傷める心配がないという利点もある。
【００１８】
実施の形態２．
この発明の実施の形態２に係る靴下着用補助装置１０１（以下装置１０１という）の構成について、実施の形態１と異なる部分を中心に説明する。
図９は装置１０１の断面図である。靴下保持具１０６の上部の形状が実施の形態１における靴下保持具６の保持部６１の形状と異なっていて、筒状の保持部１０６１の上端から、外側に向けてフランジ状の外縁部１０６４を備えている。
また、図に示すように上板１０２に開けた穴１０２１の壁面は上板１０２の上面と垂直である。他の構成については実施の形態１と同様である。
この実施の形態２では、靴下を保持する摩擦力は外縁部１０６４と上板１０２との間の間隔を調整することによって確保する。この間隔を変更する方法は実施の形態１と同様である。
この実施の形態２の装置１０１でも、実施の形態１の装置１と同様の効果を奏する。
【００１９】
実施の形態３．
この発明の実施の形態３に係る靴下着用補助装置２０１（以下装置２０１という）の構成について、実施の形態１と異なる部分を中心に説明する。
図１０は装置２０１の筐体の斜め投影図であり、図１１は装置２０１の筐体の側面図である。
この実施の形態の装置２０１の筐体の上板、中板、下板はネジを切った支柱２０７で支えられており、中板２０３の下には支柱のネジと螺合して上下に移動する中板支持ナット２０８を設けている。この中板支持ナット２０８を回転させて中板２０３の高さを調整することができる。
その他の構成は実施の形態１と同様であり、実施の形態１及び実施の形態２に係る装置と同様の効果を奏する。
【００２０】
なお、中板２０３の高さを調整するための構成と、靴下を保持するための構成は、これまで各実施の形態の中で説明した組み合わせに制限されるものではなく、どのような組み合わせでも同様の効果を奏する。
また、各実施の形態では上板と中板の間の間隔を可変とする構成としたが、靴下保持具６の支持部６２の長さを可変としてもよい。
また、上板の穴および、靴下保持部の形状は円筒でなくても楕円でも足が入れば良い。
【符号の説明】
【００２１】
１，１０１，２０１  靴下着用補助装置、２，１０２  上板、３，２０３  中板、
３１  穴、３２  留め具、４  下板、５  側板、６，１０６  靴下保持具、
６１，１０６１  靴下保持部、６２  支持部、６３  突起、２０７  支柱、
２０８  下板支持ナット、１０６４  外縁部。
【図１】
2010284329.tif 000003
【図２】
2010284329.tif 000004
【図３】
2010284329.tif 000005
【図４】
2010284329.tif 000006
【図５】
2010284329.tif 000007
【図６】
2010284329.tif 000008
【図７】
2010284329.tif 000009
【図８】
2010284329.tif 000010
【図９】
2010284329.tif 000011
【図１０】
2010284329.tif 000012
【図１１】
2010284329.tif 000013
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
外側面が断面テーパ形状をした筒状の靴下保持部と、
この靴下保持部の端部から、前記靴下保持部の軸方向に伸びる支持部と、
この支持部を介して前記靴下保持部を載置する中板と、
前記靴下保持部が挿入される穴を開けた上板と、
前記中板及び上板を、それぞれが平行となるように支持する側板又は支柱とを備え、
前記穴の内壁面と前記靴下保持部の外側面との間の間隔が可変であることを特徴とする靴下着用補助装置。
【請求項２】
前記穴の内壁面が前記靴下保持部の外側面に平行であることを特徴とする請求項１に記載の靴下着用補助装置。
【請求項３】
筒状の靴下保持部と、
この靴下保持部の上端部から張り出したフランジ部と、前記靴下保持部の軸方向に伸びる支持部と、
この支持部を介して前記靴下保持部を載置する中板と、
前記靴下保持部が挿入される穴を開けた上板であって、この穴の上縁が前記靴下保持部の前記フランジ部の下面と平行に対面する上板と、
前記中板及び上板を、それぞれが平行となるように支持する側板又は支柱とを備え、
前記フランジ部と前記穴の前記上縁の間の間隔が可変であること特徴とする靴下着用補助装置。
【請求項４】
前記上板又は前記中板の少なくとも一方を上下に移動することによって前記間隔を可変とすることを特徴とする請求項１乃至請求項３のいずれか１項に記載の靴下着用補助装置。
【請求項５】
前記支持部を伸縮させることにより前記間隔を可変とすることを特徴とする請求項１乃至請求項４のいずれか１項に記載の靴下着用補助装置。
【請求項６】
前記支持部は前記中板に脱着可能に固定することを特徴とする請求項１乃至請求項５のいずれか１項に記載の靴下着用補助装置。
【請求項７】
前記靴下保持部の軸方向垂直断面は楕円形であることを特徴とする請求項１乃至請求項６のいずれか１項に記載の靴下着用補助装置。
【手続補正２】
【補正対象書類名】明細書
【補正対象項目名】０００３
【補正方法】変更
【補正の内容】
【０００３】
【特許文献１】登録実用新案公報  実用新案登録第３０８２６４６
【手続補正３】
【補正対象書類名】明細書
【補正対象項目名】０００５
【補正方法】変更
【補正の内容】
【０００５】
この発明に係る靴下着用補助装置は、
外側面が断面テーパ形状をした筒状の靴下保持部と、
この靴下保持部の端部から、前記靴下保持部の軸方向に伸びる支持部と、
この支持部を介して前記靴下保持部を載置する中板と、
前記靴下保持部が挿入される穴を開けた上板と、
前記中板及び上板を、それぞれが平行となるように支持する側板又は支柱とを備え、
前記穴の内壁面と前記靴下保持部の外側面との間の間隔が可変であることを特徴とするものである。
また、この発明に係る靴下着用補助装置は、
筒状の靴下保持部と、
この靴下保持部の上端部から張り出したフランジ部と、前記靴下保持部の軸方向に伸びる支持部と、
この支持部を介して前記靴下保持部を載置する中板と、
前記靴下保持部が挿入される穴を開けた上板であって、この穴の上縁が前記靴下保持部の前記フランジ部の下面と平行に対面する上板と、
前記中板及び上板を、それぞれが平行となるように支持する側板又は支柱とを備え、
前記フランジ部と前記穴の前記上縁の間の間隔が可変であること特徴とするものである。
【手続補正４】
【補正対象書類名】明細書
【補正対象項目名】０００６
【補正方法】変更
【補正の内容】
【０００６】
この発明に係る靴下着用補助装置は、
外側面が断面テーパ形状をした筒状の靴下保持部と、
この靴下保持部の端部から、前記靴下保持部の軸方向に伸びる支持部と、
この支持部を介して前記靴下保持部を載置する中板と、
前記靴下保持部が挿入される穴を開けた上板と、
前記中板及び上板を、それぞれが平行となるように支持する側板又は支柱とを備え、
前記穴の内壁面と前記靴下保持部の外側面との間の間隔が可変であることを特徴とするものなので、靴下の厚さや素材に合わせて靴下を保持する力を調整できるので、靴下の装着途中で靴下が外れる心配がなく、つま先から靴下の上端部まで、確実に靴下を足に着用できる。
また、この発明に係る靴下着用補助装置は、
筒状の靴下保持部と、
この靴下保持部の上端部から張り出したフランジ部と、前記靴下保持部の軸方向に伸びる支持部と、
この支持部を介して前記靴下保持部を載置する中板と、
前記靴下保持部が挿入される穴を開けた上板であって、この穴の上縁が前記靴下保持部の前記フランジ部の下面と平行に対面する上板と、
前記中板及び上板を、それぞれが平行となるように支持する側板又は支柱とを備え、
前記フランジ部と前記穴の前記上縁の間の間隔が可変であること特徴とするものなので、靴下の厚さや素材に合わせて靴下を保持する力を調整できるので、靴下の装着途中で靴下が外れる心配がなく、つま先から靴下の上端部まで、確実に靴下を足に着用できる。
【手続補正５】
【補正対象書類名】図面
【補正対象項目名】図１
【補正方法】変更
【補正の内容】
【図１】
2010284329.tif 000014